(57)【要約】  ベース（２）と、ヘッドの第１の回転軸（Ｘ）の周りで揺動させるためにベースに対して回転する第１の本体（５）と、長手方向軸（Ａ）に沿って第１の本体から延び、かつ第１の本体で得られる座（１３）に収容される第１の端部（１２ａ）と第１の本体から間隔を空けた第２の端部（１２ｂ）とを備えた第１のレバー（１０）とを備えるビデオ−写真機器用の支持ヘッド（１）。第１のレバー（１０）は、第１のレバーが第１の回転軸の周りにおける第１の本体の揺動を制御するように設計された操作位置と、支持ヘッドが最小の関連部分となる非操作位置との間で、第１の端部（１２ａ）を通り、長手方向軸（Ａ）に入射する揺動軸（Ｐ）の周りで第１の本体に対して揺動することができる。
2015511731.tif 000002
【特許請求の範囲】
【請求項１】
ビデオ−写真機器用の支持ヘッド（１）であって、
前記ヘッドの第１の回転軸（Ｘ）を画定するピン（６ａ）を備えるベース（２）と、
前記第１の回転軸（Ｘ）の周りで回転するために前記ベースと回転するように結合され、かつ両側で前記ピンを囲み、前記ピンに当接し、かつ前記ベースの周りにおける第１の本体の回転を固定するために、共に相互に閉じることのできる第１の制動部材（９ａ）および第２の制動部材（９ｂ）を備えた第１の本体（５）と、
長手方向軸（Ａ）に沿って前記第１の本体から延び、かつ前記第１の本体で得られる座（１３）に収容される第１の端部（１２ａ）と前記第１の本体から間隔を空けた第２の端部（１２ｂ）とを備える第１のレバー（１０）であり、前記第１のレバーが前記第１の回転軸周りで前記第１の本体を揺動させるように構成された操作位置と、最小の関連部分となる非操作位置との間で、前記第１の端部（１２ａ）を通り、前記長手方向軸（Ａ）に対して入射する揺動軸（Ｐ）の周りで前記第１の本体に対して揺動することができる、第１のレバー（１０）とを備え、
前記レバーの前記第１の端部（１２ａ）に対する前記座（１３）が前記第１の制動部材（９ａ）で得られ、また前記第２の制動部材（９ｂ）が、前記操作位置と前記非操作位置との間で前記第１のレバー（１０）の揺動をガイドするスロット（１８）により横断されていることと前記レバーが、前記操作位置にあるとき、前記ピンの周りで前記第１の制動部材および前記第２の制動部材を共に相互に閉じることを制御するために、前記第２の制動部材（９ｂ）に当接することとを特徴とする、支持ヘッド（１）。
【請求項２】
前記第１のレバー（１０ａ）が、前記第１の端部（１２ａ）に、前記揺動軸（Ｐ）を画定するために前記長手方向軸（Ａ）に対して実質的に直角な方向に延びるヘッド部（１７）を備える、請求項１に記載の支持ヘッド。
【請求項３】
前記第１のレバー（１０）が、前記第１の端部（１２ａ）を備える第１のステム部分（１５）と、前記第１のステム部分に対して伸縮自在に係合する第２のステム部分（１６）とを備え、前記第１の端部および前記第２の端部を互いの方向に、かつ互いから離れるように移動させる、請求項１又は２に記載の支持ヘッド。
【請求項４】
前記第１の端部（１２ａ）と前記第２のステム部分（１６）との間の間隔が、前記長手方向軸（Ａ）の周りで前記第２のステム部分を回転させることにより変化され得るように、前記第１のステム部分（１５）が、前記第２のステム部分（１６）にねじ係合される、請求項３に記載の支持ヘッド。
【請求項５】
前記第１のステム部分（１５）と前記第１の本体（５）との間の結合は、この第１のステム部分が前記長手方向軸（Ａ）の周りで回転しないようにするものである、請求項３または４に記載の支持ヘッド。
【請求項６】
前記レバーは、前記操作位置にあるとき、前記第２のステム部分（１６）の位置で、前記第１の制動部材と前記第２の制動部材を共に前記ピンの周りで相互に閉じることを制御するために、前記第２の制動部材（９ｂ）に対して当接する、請求項３から５のいずれか一項に記載の支持ヘッド。
【請求項７】
前記第２のステム部分（１６）が、前記スロット（１８）の位置で前記第１の本体（５）に当接するとき、前記第２の制動部材（９ｂ）に当接するように、前記スロットの高さ（Ｈ）を超える直径（Ｄ）を有する、請求項３から６のいずれか一項に記載の支持ヘッド。
【請求項８】
前記第１の本体は、前記第１のレバーが前記操作位置にあるとき、前記第１のレバー（１０）の前記長手方向軸（Ａ）に対して直角な第１の実質的に平坦なセクション（２０）を備えた輪郭を有しており、したがって、前記操作位置から前記非操作位置へと揺動できるようにするために、前記第２のステム部分（１６）が、所定の最小寸法を超える距離だけ前記第１の端部（１２ａ）から間隔を空ける必要がある、請求項３から７のいずれか一項に記載の支持ヘッド。
【請求項９】
前記ベース（２）と前記第１の本体（５）の間に介在する第２の本体（６）が設けられ、この第２の本体が、前記支持ヘッドの第２の回転軸（Ｙ）の周りで前記ベース（２）に対して揺動し、かつ前記第１の回転軸（Ｘ）の周りで前記第１の本体（５）に対して揺動することができ、この第２の本体（６）が、前記第２の回転軸の周りで前記第２の本体の回転を制御するために第２のレバー（１１）を備え、前記第１のレバー（１０）が、前記非操作位置へと移動されたとき、前記第２のレバー（１１）に対して実質的に平行である、請求項１から８のいずれか一項に記載の支持ヘッド。
【発明の詳細な説明】
【技術分野】
【０００１】
本発明は、主請求項のプリアンブルで述べられる特徴を有するビデオ−写真機器用支持ヘッドに関する。
【背景技術】
【０００２】
支持ヘッドは、ビデオ−写真の分野で広く使用されるアクセサリであり、その上に取り付けたビデオ−写真機器を１つまたは複数の回転軸の周りで回転できるようにする。
【０００３】
支持ヘッドは、概して、三脚または同様のものなどの支持構造に接続するための手段を備えていると考えられるベースと、各回転軸周りでその相互の回転を可能にするために、ベースから互いに連続して取り付けられた１つまたは複数の本体と、ビデオ−写真機器を取外し可能に結合できる、これらの本体の最後のものに固定された接続プレートとを備える。
【０００４】
上記で述べた回転軸は、通常、互いに直角であり、またベースが水平面内で支持されたとき、ベースを通る垂直軸（パノラマ軸として知られている）と、ビデオ−写真機器の光学軸に平行な水平軸（レベル軸（level axis）として知られている）と、光学軸に対して直角な水平軸（チルト軸として知られている）とを画定する。
【０００５】
その回転軸周りにおける個々の本体の回転は、操作者により、互いに直角をなす方向に延びることの多い、本体から延びる適切なレバーで制御されることが好ましい。
【０００６】
この構成は、確かにビデオ−写真機器を位置決めするための操作を簡便に管理できるようにするが、その過度の関連部分（encumbrance）により、支持ヘッドを移送し、かつ保管する操作が複雑になる。
【０００７】
ドイツ特許明細書ＤＥ２３０６４２９は、ヘッド近くの折畳み位置へと傾斜させることのできる、ヘッドをその主軸周りで動かすためのレバーを備えた支持ヘッドを開示している。しかし、このレバーは、その軸周りにおけるヘッド回転を固定することができず、したがって、別個の対策を行う必要がある。
【０００８】
ＷＯ２０１１／０５６４９８は、ヘッドの全体的な関連部分を減らすために、使用されていないとき、制御レバーの１つを折り畳むことのできる支持ヘッドを開示する。
【０００９】
その文献で開示されたレバーは、特にそのステムの中間位置に関節継ぎ手を備えており、関節継ぎ手により分離された２つのステム部分を、相互調整において前記部分が延びる操作位置と、ヘッド本体から遠い部分を下方に折り畳むことのできる非操作位置との間で動くことを可能にする。
【００１０】
それにもかかわらず、この解決策は、その構造が、関節継ぎ手の構成要素間の何らかの遊びを自動的に復元することができず、関節継ぎ手が操作位置で閉じられている場合であっても、ステムの２つの部分の間で望ましくない揺動を生ずる可能性のあることを含むいくつかの欠点を有する。
【００１１】
さらなる欠点は、関節継ぎ手の実施形態が、様々な追加の構成要素を用意し、かつ組み立てることを含み、それにより支持ヘッドの全体コストを増加させることにある。
【００１２】
さらなる欠点は、ステムの見える位置に関節継ぎ手が存在することは、美的に十分満足できるものではなく、支持ヘッドの全体的な美的外観に対して好ましくない可能性があることにある。
【発明の概要】
【００１３】
したがって、現在のレバーの構造的かつ機能的な特徴に悪影響を与えることなく、支持ヘッドにおけるレバーの関連部分を効果的に減らすことを可能にする解決策を提供することが求められている。
【００１４】
本発明の基礎となる問題は、したがって、引用された従来技術の前述の欠点を改善するビデオ−写真機器用の支持ヘッドを提供することである。
【００１５】
この問題に関して、本発明の目的は、信頼性があり、製造するのが簡単な、低コストの支持ヘッドを提供することである。
【００１６】
添付の特許請求の範囲に従って得られた支持ヘッドを使用する本発明により、この問題は解決され、かつこの目的が達成される。
【００１７】
本発明の特徴および利点は、単に非限定的な例として提供される添付図面を参照して示されるその好ましい実施形態の以下の詳細な記述から明らかになろう。
【図面の簡単な説明】
【００１８】
【図１】操作位置における本発明のビデオ−写真機器用支持ヘッドの底面から見た側面斜視図。
【図２】非操作位置における図１の支持ヘッドの上面から見た側面斜視図。
【図３】図２のヘッドの側面図。
【図４】図１の操作位置における先行する図の支持ヘッドの一部の横断面図。
【図５】図２の非操作位置における先行する図の支持ヘッドの一部の横断面図。
【図６】図４の線ＶＩ−ＶＩに沿った横断面図。
【発明を実施するための形態】
【００１９】
添付図面を参照すると、本発明により実現されたビデオ−写真機器（添付図面に示されていない）用の支持ヘッドが、全体的に１で示されている。
【００２０】
支持ヘッド１は、実質的に平坦な支持面３がその上で画定され接続手段がその位置で提供されるベース２を備え、ベース２は、支持ヘッド１が、三脚または同様のもの（添付図面には示されていない）のタイプの外部の支持構造に結合され得るように、例えば、ねじ穴４を含む。
【００２１】
支持ヘッド１は、ヘッド１の第１の軸Ｘ、第２の軸Ｙ、および第３の軸Ｚの周りでそれぞれ回転できるようにするために、互いに相互接続で係合されている第１の本体５と、第２の本体６と、第３の本体７とをさらに備える。
【００２２】
さらなる詳細では、ビデオ−写真機器用の接続プレート８が設けられる第１の本体５は、第１の軸Ｘを画定するように延びる第２の本体６のピン６ａに対して回転するように結合される。第１の軸Ｘは、接続プレート８上での位置決めが所定のものであるビデオ−写真機器の光学軸に対して実質的に平行になるように延びており、ヘッド１の水平軸を形成する。接続プレート８は、当技術分野で本質的に知られた機構および方法に従って、第１の本体５から着脱可能であることが好ましく、ビデオ−写真機器に係合することのできるねじ付きピン８ａを備える。
【００２３】
第１の本体５は、両側でピン６ａを囲んで第１の回転軸Ｘを中心に第１の本体５を揺動させないように共に移動できる第１および第２の制動部材９ａ、９ｂをさらに備える。
【００２４】
同様に、第２の本体６は、第１の軸Ｘに対して実質的に直角であるが、ベース２の表面３に平行であり、それによりヘッド１のチルト軸が形成されるように配置された第２の軸Ｙの周りで回転するように、第３の本体７に対して回転可能に結合される。
【００２５】
第３の本体７は、次いで、第１および第２の軸Ｘ、Ｙと、表面３の両方に対して直角に延びて、支持ヘッド１のパノラマ軸を形成する第３の軸Ｚを中心に回転するように、ベース２に対して回転可能に結合される。
【００２６】
本体５および本体６を、そのそれぞれの回転軸周りで回転させるために、支持ヘッド１は、長手方向軸Ａに沿って第１の本体５から延びる第１のレバー１０と、長手方向軸Ｂに沿って第２の本体６から延びる第２のレバー１１とを備える。
【００２７】
図１は、ベース２の表面３および接続プレート８が互いに平行な状態の標準の操作位置にある支持ヘッド１を示している。この位置では、操作者が位置することのできるヘッド１の後側と、ビデオ−写真機器の視野に向いている反対方向の前側とがある。第１の本体５は、支持ヘッド１の後側の方向に、Ｚ軸に対して変位させることが好ましい。
【００２８】
ビデオ−写真機器を位置決めする操作を容易にするために、第２のレバー１１もまた、第１の本体５と干渉することのないように、好ましくは、長手方向軸Ｂを下方に傾斜させた状態で、支持ヘッド１の後側の方向に延びることが有利である。この位置では、第１のレバー１０は、操作者の位置からヘッド１を見たとき、横方向に、例えば、右方向に延びている。
【００２９】
このように、第１のレバー１０および第２のレバー１１は、接続プレート８に結合されたビデオ−写真機器の、軸Ｘ、Ｙ、およびＺを中心とする回転を制御するために、操作者によって容易に把持され得る。
【００３０】
第２のレバー１１は、その自由端に把持部１１ａを備え、また操作者が、軸Ｚの周りでベース２に対して第２の本体６および第３の本体７を回転させることと、ならびに軸Ｙの周りで第３の本体７に対して第２の本体６を回転させることとを共に容易に制御できるように、第２の本体６に対してしっかりと固定される。
【００３１】
本質的に知られている方法に従って第２のレバー１１により制御されることが好ましい、軸ＺおよびＹの周りにおける第２の本体６および第３の本体７の回転を固定するために、固定手段がまた提供される。
【００３２】
第１のレバー１０は、第１の本体５に設けられた座１３に収容される第１の端部１２ａと、長手方向に反対にある第２の端部１２ｂとを備える。
【００３３】
本発明の第１の態様によれば、第１のレバー１０は、第１のレバー１０が、第１の回転軸Ｘの周りで第１の本体５の揺動を制御するように設計され、かつ特にそのように構成された操作位置と、支持ヘッド１の移送および保管を可能にする最小の関連部分となる非操作位置との間で、その第１の端部１２ａを貫通し、かつ長手方向軸Ａに対して実質的に直角な揺動軸Ｐの周りで第１の本体５に関して揺動することができる。
【００３４】
図２および図３のそれぞれで分かるように、操作位置へと揺動させたとき、第１のレバー１０は、ヘッド１に対して横方向に、実質的に第１の回転軸Ｘに対して直角の方向に、第１の本体５から延びるが、非操作位置へと揺動させたときは、第１のレバー１０は、支持ヘッド１の後側方向に延び、さらにその長手方向軸Ａが、第２のレバー１１の長手方向軸Ｂに対して実質的に平行になるように延びることが好ましい。
【００３５】
第１のレバー１０は、第１の端部１２ａを備える第１のステム部分１５と、第２の端部１２ｂを備える第２のステム部分１６とを備え、第２のステム部分１６は、長手方向軸Ａの周りで第２のステム部分１６を回転させることにより、第１のレバー１０の第１および第２の端部１２ａ、１２ｂを互いの方向へ、または互いに離れるように移動させるために、伸縮自在に第１のステム部分１５とねじ係合されている。
【００３６】
このために、第１のレバー１０は、第１の端部１２ａで、長手方向軸Ａを中心とした第１のステム部分１５の回転を阻止するなどのためのカップリングを備えた座１３に収容されたヘッド部１７を備える。
【００３７】
ヘッド部１７は特に、長手方向軸Ａに対して実質的に直角をなす方向に延びており、逆も同様であるが、操作位置から非操作位置へと移動させるために第１のレバー１０が揺動する揺動軸Ｐを画定する。
【００３８】
第１のレバー１０の動きを容易にするために、第２の端部１２ｂで第２のステム部分１６に把持部１４が設けられる。
【００３９】
第１のレバー１０の揺動運動を可能にし、かつガイドするために、座１３で開口しているスロット１８が、第１の本体５に設けられており、揺動軸Ｐに対して実質的に直角な平面に沿って延びる。スロット１８は、第１のレバー１０の揺動運動の端点を形成する２つの端部１９ａおよび１９ｂにより制限されている。特に、端部１９ａでは、第１のレバー１０が、非操作位置に移動したとき、自由に揺動しないようにする、例えば、断面制限部２１により形成された、第１のレバー１０に対する保持部材を設けることができる。
【００４０】
座１３は、好ましくは、第１の本体５の第１の制動部材９ａで得られることが好ましく、また第２の制動部材９ｂはスロット１８で横断されている。さらに、第２のステム部分１６は、第１の端部１２ａの方向に変位されたとき、第１の本体５に対して当接するように、スロット１８の高さＨを超える直径Ｄを有する。
【００４１】
レバー１０が操作位置にあるとき、第１のステム部分１５は、第１の制動部材９ａと第２の制動部材９ｂを共に横断している。このように、第２のステム部分１６が第１の端部１２ａに近づいたとき、それは、スロット１８で第２の制動部材９ｂに当たり、一方ヘッド部１７は、第１の制動部材９ａに当たってヘッド部および制動部材をピン６ａの周りで互いに接近するように移動させ、かつ第１の回転軸Ｘ周りの第１の本体５の回転を固定する。
【００４２】
第１のレバー１０は、したがって、操作位置へと移動されたとき、第１の回転軸Ｘの周りで第１の本体５の回転を固定するデバイスを形成する。
【００４３】
それとは対照的に、第１のレバー１０が非操作位置に移動されたとき、第２の制動部材９ｂは、第１のステム部分１５により横断されることはなく、したがって、第２のステム部分１６をスロット１８に対して締め付けることが、ピン６ａに対する第１の本体５の固定を生ずることはない。
【００４４】
第１の本体５は、スロット１８の端部１９ｂにおいて、第１のレバー１０が操作位置へと移動されたとき、長手方向軸Ａに対して実質的に直角をなす第１の平坦なセクション２０を備えた輪郭を有することが好ましい。
【００４５】
このように、操作位置から非操作位置へと揺動可能にするために、第２のステム部分１６は、所定の最小寸法を超える距離だけ第１の端部１２ａから離れる必要がある。これには、長手方向軸Ａの周りで第２のステム部分１６の最小数の回転を実施することが必要となり、第２のステム部分が第１の本体５から分離すると直ちに、第１のレバー１０が非操作位置の方向に揺動しないようにする。
【００４６】
こうすることは、操作位置において、操作者が、第１の回転軸Ｘの周りにおける第１の本体５の回転の固定および固定解除を制御するために、軸Ａの周りで第２のステム部分１６を回転させる第１の操作間隔と、操作者が、第１のレバー１０を非操作位置の方向に揺動可能にするのに十分な寸法だけ、第２のステム部分１６の間隔を空ける、一定数の回転により間隔が空けられた第２の操作間隔とを画定できるようにするので有利である。
【００４７】
平坦なセクション２０に対する代替として、スロット１８の端部１９ｂに隣接するセクションの点と、ヘッド部１７の点の間の距離が、後者と端部１９ｂの間の距離を超える距離であるとすると、第１の本体５の輪郭は、他の方法で構成できることが理解されよう。
【００４８】
上記で述べた特徴の結果として、支持ヘッド１は、第１のレバー１０および第２のレバー１１が、互いに実質的に平行であり、したがって、ヘッド１の全体的な関連部分を最小化する構成で、移送し、かつ保管することができる。
【００４９】
ヘッド１が操作状態に移行される場合、第２のステム部分１６は、適切な寸法だけ第１の端部１２ａから離すために長手方向軸Ａの周りで回転され、その後に、第１のレバー１０は、端部１９ａで第１のレバー１０を保持する傾向のある断面制限部の抵抗に打ち勝って、端部１９ａから端部１９ｂの方向に揺動される。
【００５０】
第１のレバー１０が端部１９ｂに達したとき、操作位置に達しており、第２のステム部分１６は、第２の制動部材９ｂの縁部で第１の本体５に当接するように、長手方向軸Ａの周りで回転される。
【００５１】
第１の本体５はしたがって、第１のレバー１０を操作することにより第１の回転軸Ｘの周りで所望する位置へと揺動させることができ、その位置で、第１の本体５に対して第２のステム部分１６をさらに回転させて第１の制動部材９ａおよび第２の制動部材９ｂを互いに近接させることにより、揺動は固定される。
【００５２】
本発明は、このように上記で述べた問題を解決し、また同時に、第１のレバーの視覚的な美的特徴を決して損なわないことを含む多くの他の利点を達成している。さらに、本発明の解決策は、操作時にレバーの正常な使用を妨げるおそれのある何らかの遊びをレバー揺動機構に生ずることがないので、このような遊びを相殺する、またはなくすように設計された構成要素または機構を必要としない。
【図１】
2015511731.tif 000003
【図２】
2015511731.tif 000004
【図３】
2015511731.tif 000005
【図４】
2015511731.tif 000006
【図５】
2015511731.tif 000007
【図６】
2015511731.tif 000008
【国際調査報告】
2015511731.tif 000009
2015511731.tif 000010